(57)【要約】      （修正有）【課題】被撮影者の顔写真をより若返った状態に撮ること。顔写真をより魅力的なものとすること。【解決手段】カメラ部１５及びプリントアウト部２０と、カメラ部１５に対向する位置に設けられた座席部１２と、操作部とからなる。座席部１２に背もたれ部１３を設け、この背もたれ部１３が自動又は手動により後方に倒れる。背もたれ部１３を後方に倒し、天井部に位置するカメラ部１５によって顔写真を撮影する。背もたれ部１３は、頭部の後方で広く延長したもの、或は、肩部までの高さで、頭部支持部を設けたものでもよい。この頭部支持部は上下に移動できる。背もたれ部１３に影が生じないように照明２１を適宜位置に設ける。撮影ボックス１０内の適宜位置にアーム状ブラケットを介して送風機を設ける。前方壁面にもカメラ部１５を設ける。【選択図】図２
0003143402.tif 000002
【実用新案登録請求の範囲】
【請求項１】
少なくとも、カメラ部及びプリントアウト部と、カメラ部に対向する位置に設けられた被撮影者が着席する座席部と、撮影開始ボタン等の操作ボタンが設けられた操作部とからなる自動写真撮影ボックスにおいて、
座席部(12)に背もたれ部(13)を設け、この背もたれ部(13)が自動又は手動により後方に傾斜して略水平位置にまで傾倒することができ、
カメラ部(15)は座席部(12)の上方天井部の少なくとも１箇所に設けられ、
背もたれ部(13)を後方に倒し、天井部に位置するカメラ部(15)によって顔写真撮影が可能なことを特徴とする自動顔写真撮影ボックス。
【請求項２】
前記背もたれ部(13)が被撮影者の頭部の後方とその周縁部に渡って広く延長して設けられていることを特徴とする請求項１に記載の自動顔写真撮影ボックス。
【請求項３】
前記背もたれ部(13)が被撮影者の肩部位置以下の高さに形成され、且つ背もたれ部(13)の略中央部で上下方向に移動する頭部支持部(30)を設け、この頭部支持部(30)が被撮影者の顔部正面側から見て頭部及び首部によって隠れた状態となることを特徴とする請求項１に記載の自動顔写真撮影ボックス。
【請求項４】
頭部両側の背もたれ部(13)に影が生じないように、背もたれ部(13)の左右両側の壁面部に照明(21)を配置したことを特徴とする請求項２に記載の自動顔写真撮影ボックス。
【請求項５】
撮影ボックス内の適宜位置にアーム状ブラケット(28)を介して送風機(25)を設け、前記アーム状ブラケット(28)は１又は２以上の回動関節を有し、被撮影者が好みの位置に前記送風機(25)を配置し、髪をなびかせた状態で写真撮影ができることを特徴とする請求項１乃至４の何れか１項に記載の自動顔写真撮影ボックス。
【請求項６】
撮影ボックス内の座席部(12)の前方壁面にもカメラ部(15)を設け、被撮影者の選択により前方壁面又は天井部に配置する何れかのカメラ部(15)を使用して撮影することができることを特徴とする請求項１乃至５の何れか1項に記載の自動顔写真撮影ボックス。
【考案の詳細な説明】
【技術分野】
【０００１】
本考案は、運転免許証用、パスポート用又は履歴書用等に使用する証明写真、更には種々の目的に使用できる顔写真を自動的に撮影することが出来る自動顔写真撮影ボックスに関するものである。
【背景技術】
【０００２】
従来のこの種の自動顔写真撮影ボックスとしては種々のものが存在しているが、その一般的なものとしては以下のものを挙げることができる。
側面部に出入り口が設けられた箱形のボックスであって、その内部中央に丸イスが設けられ、その前方壁面がミラーとなっており、且つミラーの下方には撮影開始ボタン等の操作部が設けられ、ミラー背面にカメラ部が設備され、適宜位置、例えばミラー両側には照明が設備され、更にミラー周辺には料金投入口が形成され、ミラーの下方或は出入り口の周辺部にはプリントされた写真が排出されるプリントアウト部が設けられたものである。
丸イスは、回転させることにより、その高さが上昇したり、下降する。
操作部には上記の撮影開始ボタン、顔写真の位置を調整する位置調整ボタン、或は顔写真のズームイン用及びズームアウト用ボタン等が設けられており、適宜顔写真の位置、大きさ等の調整ができるようになっている。
【０００３】
そして、使用方法としては、以下のような手順となる。
まず、撮影ボックス内に入り、その略中央に設備された丸イスに着席する。
着席すると音声ガイダンスが流れ（料金投入後にガイダンスが流れるタイプもある。）、このガイダンス及び前方壁面に設けられたミラー部に表示された説明案内に従って、必要とする顔写真サイズを選択し、そしてコインや紙幣等を投入して、撮影の準備が整う。
撮影の準備が整うと、操作部に設けられた各種ボタンにより顔の位置、大きさ等の細かい調整を行った後、最後に操作部に設けられた撮影開始ボタンを押して、顔写真が撮影されるのである。
【０００４】
そして、撮影の失敗等を考慮して、何度でも繰り返し撮影が可能なものも存在している。
また写真撮影前のスタンバイ状態で、自身の顔写真をモニタで確認できるものもあり、これは、前方壁面のモニタによって自己の表情の確認や服装のチェック、顔の位置の修正等を行うことが出来るものである。
写真撮影が完了すると、適宜プリントアウト部から撮影された顔写真が複数枚プリントされて排出され、つり銭等も同時につり銭排出口から排出されるものである。
【考案の開示】
【考案が解決しようとする課題】
【０００５】
上記従来の自動顔写真撮影ボックスにおいては、種々の特徴を有するものが存在しているが、それらは、顔の位置の調整、光線の被写体に与える影響の調整等々、被撮影者の顔を的確に捉え、より適正な撮影条件を整えるものが殆どである。
そこで、本考案においては、これらの撮影技術又は撮影条件等とは全く異なる視点から、被撮影者の表情をより良い状態で撮影できるものを提供することをその課題としている。
より詳しくは、被撮影者がより若返った状態の表情で顔写真が撮れるような装置の提供をその課題とするものである。
更に、証明用の写真としてではなく、例えばお見合い写真のように、顔写真をより魅力的なものとするための工夫を加えることも本考案の課題である。  
【課題を解決するための手段】
【０００６】
上記課題を解決するために、本考案の第１のものは、少なくとも、カメラ部及びプリントアウト部と、カメラ部に対向する位置に設けられた被撮影者が着席する座席部と、撮影開始ボタン等の操作ボタンが設けられた操作部とからなる自動写真撮影ボックスにおいて、座席部に背もたれ部を設け、この背もたれ部が自動又は手動により後方に傾斜して略水平位置にまで傾倒することができ、カメラ部は座席部の上方天井部の少なくとも１箇所に設けられ、背もたれ部を後方に倒し、天井部に位置するカメラ部によって顔写真撮影が可能なことを特徴とする自動顔写真撮影ボックスである。
【０００７】
本考案の第２のものは、上記第１の考案において、前記背もたれ部が被撮影者の頭部の後方とその周縁部に渡って広く延長して設けられていることを特徴とする自動顔写真撮影ボックスである。
【０００８】
本考案の第３のものは、上記第１の考案において、前記背もたれ部が被撮影者の肩部位置以下の高さに形成され、且つ背もたれ部の略中央部で上下方向に移動する頭部支持部を設け、この頭部支持部が被撮影者の顔部正面側から見て頭部及び首部によって隠れた状態となることを特徴とする自動顔写真撮影ボックスである。
【０００９】
本考案の第４のものは、上記第２の考案において、頭部両側の背もたれ部に影が生じないように、背もたれ部の左右両側の壁面部に照明を配置したことを特徴とする自動顔写真撮影ボックスである。
【００１０】
本考案の第５のものは、上記それぞれの考案において、撮影ボックス内の適宜位置にアーム状ブラケットを介して送風機を設け、前記アーム状ブラケットは１又は２以上の回動関節を有し、被撮影者が好みの位置に前記送風機を配置し、髪をなびかせた状態で写真撮影ができることを特徴とする自動顔写真撮影ボックスである。
【００１１】
本考案の第6のものは、上記それぞれの考案において、撮影ボックス内の座席部の前方壁面にもカメラ部を設け、被撮影者の選択により前方壁面又は天井部に配置する何れかのカメラ部を使用して撮影することができることを特徴とする自動顔写真撮影ボックスである。
【考案の効果】
【００１２】
本考案の第１のものにおいては、座席部の背もたれ部を後方に傾倒し、略水平状態とし、顔面を上向きの状態として、天井部に設けられたカメラ部により顔写真を撮影することができる。
このように、顔面を上向きにすることにより、顔の皮膚の状態が、通常の立位の状態と比較すると、下方への重力が軽減されて顔の皮膚のたるみが消え、表情が立位の状態の時と比較すると、若返った状態に見えるのである。
この状態で、顔写真を撮影するために、撮影された顔写真は、立位の状態と比較すると、数年若返った表情に撮影されることとなるのである。
本考案に係る撮影ボックスでは、このように、自分の顔写真が普段よりもより若返った表情で撮影されることとなるのである。
このように、本考案では、顔を上向きにした状態で写真を撮影すると、普段よりも若返った状態に写るという事実を発見し且つ確認し、この事実を元にして創案されたものである。  
【００１３】
本考案の第２のものにおいては、背もたれ部を後方に倒すこととなるために、頭部の支持が必要と成り、この頭部の支持をこの広く延長された背もたれ部が担うことができるようにしたものである。また、この広く形成された背もたれ部は、顔写真の背景にもなるのである。
【００１４】
本考案の第３のものにおいては、背もたれ部の高さを被撮影者の肩部よりも低いものとし、頭部の支持のために、この背もたれ部の略中央部に上下移動可能な頭部支持部を設け、この頭部支持部が頭部を支持できることとなる。
この頭部支持部は、上下に移動可能なために、異なる座高の被撮影者に対応させることができる。
また、この頭部支部部は、顔の正面側から見て、その頭部と首部の背後に隠れて、顔写真を撮影する際に何の問題をも生じないこととなる。
更に、頭部の背後に背もたれ部が存在しないこととなるために、頭部の影が背もたれ部に生じるという問題も解消する。
【００１５】
本考案の第４のものにおいては、上記第２の考案において、背もたれ部が広く延長されて形成されている関係上、その背もたれ部に頭部の影ができる可能性があり、この影が生じないように、背もたれ部の左右両側の壁面部に照明を配置して、その問題を解消させたものである。
【００１６】
本考案の第５のものにおいては、撮影ボックス内の適宜位置にアーム状ブラケットを介して送風機を設けているために、その送風機を例えば被撮影者の前方斜め位置に配置して、風を送ることにより、髪をなびかせた状態で撮影することができ、髪をなびかせた趣きのある顔写真を撮影することが可能となる。
また、送風機は、１又は２以上の回動する関節を有するアーム状ブラケットに取り付けられているために、所望の位置にその送風機を配置させることが可能となる。
【００１７】
本考案の第６のものにおいては、カメラ部を天井部以外の撮影ボックスの前方壁面にも設けたために、ヘアースタイルにより、背もたれ部を後方に倒せない被撮影者のために、選択的に、従来の撮影ボックスと同様に顔面を前方に向けたままの状態でも顔写真撮影ができるように考慮したものである。
【考案を実施するための最良の形態】
【００１８】
以下、添付の図面と共に、本考案の最良の実施形態について説明する。
図１は、本考案に係る自動顔写真撮影ボックスの一実施形態の説明図である。
本考案に係る撮影ボックス１０は、その全体が略直方体の箱形形状を有し、内部に座席部１２を備え、その側面部に図示はしていないが、出入口が形成されている。出入口には従来のものと同様に目隠し用のカーテンが設けられている。
【００１９】
撮影ボックス１０内の前方壁面と天井部には、ミラー部１１がそれぞれ設けられ、そのミラー部１１の背後には、それぞれカメラ部１５が設備されている。ミラー部１１は、それぞれマジックミラーから形成され、透光性を有する。
前方壁面のミラー部１１の下方に段部が形成され、その段部の一部に操作部１６が設けられている。操作部１６には、撮影開始ボタン１７等が設けられているが、本考案においては、この撮影開始ボタンは、後の図４で説明するが、座席部１２の肘掛部の先端部にも設けられている。これは、被撮影者が横になった状態で、この撮影開始ボタンの操作を行うことができるようにしたためである。
【００２０】
座席部１２は、肘掛イス形式で、その背もたれ部１３がリクライニング式に後方に傾倒し、略水平位置にまで倒れるように構成している。
この背もたれ部１３が後方に傾倒する点が本考案の第一の特徴部分である。
座席部１２の座部１４は、ノブ１４ｎを操作することにより上下に移動可能に形成している。
肘掛部１３ｅは、背もたれ部１３に下方向に回動自在に枢着されている。
これにより、背もたれ部１３が後方に倒された際に、その背もたれ部１３に沿って略水平状態となり、被撮影者の上体が横になった際に、その腕部をこれら肘掛部１３ｅに乗せて、支持することができるのである。
【００２１】
写真撮影が完了して、プリントされた写真は、図示はしていない出入口の側方のボックス外面部のプリントアウト部２０から排出される。
図示はしていないが、コインと紙幣の料金投入口は、ミラーの周縁部に設けており、また、つり銭排出口も前記料金投入口の近傍に設けている。
【００２２】
図２は、前記実施形態において背もたれ部を後方に倒して略水平にした状態を図示する説明図である。
この図に示した通り、被撮影者Ｐは、背もたれ部１３を後方に略水平に倒してその上体を横たえる。背もたれ部１３は完全に水平でなくともよい。
この状態で、撮影開始ボタンを押して撮影を行うのである。
このように、顔面を上方に向けることにより、通常の立位の状態のように、顔の皮膚が下方に引っ張られて、皮膚がたるむことが防止され、その表情が若返った状態となるのである。実際にこの状態で写真を撮影すると、その顔写真は、立位の状態のものと比較すると何歳か若返った状態に撮影されることが確認されている。
【００２３】
図中２１は、照明を示しており、この照明２１は、撮影ボックス１０の両側面内側に設けられている。手前側側面の照明は、図示省略しているが、この手前側の側面部には出入口が設けられている関係で、その照明の大きさ及び形状は、図示された照明２１と多少異なる。
この状態で、被撮影者Ｐは、図には現れていないが、右腕側の肘掛部１３ｅの先端部に設けられた撮影開始ボタンを押して撮影を行うのである。
【００２４】
尚、上記図１及び図２において示した実施形態における背もたれ部１３は、被撮影者Ｐの頭部の後方及びその周縁部に延長する大きさを有するものであり、その背もたれ部１３自体が頭部を支持する機能を有するものである。
そして、その背もたれ部１３が大きく設けられている関係上、頭部の両側に影が生じる恐れがあるために、背もたれ部１３を倒した状態で、上記した通り、その両側に照明２１を設けているのである。
【００２５】
図３は、本考案に係る上記実施形態における撮影ボックスに設けられる送風機を説明する説明図である。
送風機２５は、小型の扇風機からなり、２本の支持杆２６、２７からなるアーム状ブラケット２８によって支持されている。
アーム状ブラケット２８は、その基端部で支持部２９に回動自在に枢着され、両支持杆２６、２７同士も回動自在に連結され、更に、支持杆２７の先端部で送風機２５と回動自在に連結、支持されている。
【００２６】
これにより、送風機２５は、被撮影者の好みの位置に手動により変更して配置させることができ、風を顔に向けて送ることができ、被撮影者の髪をなびかせ、或はたなびかせることができるのである。
この状態で写真を撮影することにより、髪をなびかせた状態で顔写真を撮ることができる。このような写真は、お見合い写真等で使用するのに最適となる。
【００２７】
この送風機２５は、被撮影者が顔面を前方に向けた状態でも、また背もたれ部１３を後方に倒して上体を寝かせた状態でも、その位置を変更して使用することができる。
この実施形態では、送風機２５の風力を３段階に変更できるものを使用している。
また、送風機２５の始動及び停止も、被撮影者の必要に応じて、操作部にそのスイッチボタンを設けて行うことができる。
【００２８】
尚、この図３に示した背もたれ部１３は、上記実施形態と異なり、その大きさ等が異なっている。
即ち、背もたれ部１３の高さを前記実施形態のものよりも低いものを使用し、その上端部が被撮影者の肩の位置よりも低いものとしている。
これにより、顔写真を撮影した際に背もたれ部１３が背景に写らないようにしている。
従って、この背もたれ部１３の場合には、頭部支持部３０を別に設ける必要がある。
この頭部支持部３０は、次の図４で説明する。
【００２９】
図４は、前記図３に示した座席部１２を示す斜視説明図である。
この座席部１２の背もたれ部１３は、被撮影者の肩の高さよりも低いものとしている。
従って、顔写真を撮影した際に背景として写らないものである。
そして、この実施形態の場合には、頭部支持部３０が必要となる。
この頭部支持部３０は、支持棒３１と、その支持棒３１の先端に設けられた頭部支持体３２、３２とからなる。
【００３０】
これら支持棒３１と、頭部支持体３２、３２とは、被撮影者が座席部１２に座ると、顔正面側から見て、頭部と首部の影となって隠れた状態となるのである。
これにより、被撮影者の背景として、背もたれ部が写らず、そして、この背もたれ部を後方に倒しても頭部支持部３０の存在により何ら問題なく撮影することができるのである。
この頭部支持部３０の支持棒３１は、上下方向に進退可能で、ロックボタン３３を押すことによりロックが解除されて、その支持棒３１を上方或は下方に移動させることができ、頭部支持体３２の高さを被撮影者の座高に合わせて調整することができる。
【００３１】
また、背もたれ部１３の肘掛部１３ｅの右側のものには、その先端部に撮影開始ボタン１７を設けている。即ち、この撮影開始ボタン１７が設けられた肘掛部１３ｅの先端部が操作部と成っている。
この撮影開始ボタン１７は、背もたれ部１３が後方に倒された状態の時に使用するものである。
【００３２】
以上の構成からなる本考案に係る自動顔写真撮影ボックスの使用方法は以下の通りとなる。
被撮影者は、撮影ボックス１０の出入口から内部に入り、座席部１２の座部１４に腰掛ける。
この状態で音声ガイダンスが流れて、使用方法についての説明を行う。
被撮影者は、料金投入口に料金を投入する。
前方ミラーには、文字説明等も表示され、顔写真サイズの決定を行う。
【００３３】
次に、前方ミラーに示された目の高さ位置に自分の顔の目の位置を合致させる。つまり、座部１４の高さを調節して、合致させるのである。これにより顔の位置が決定される。
必要に応じて、操作部１６に設けられた送風機２５の始動スイッチを押す。
この状態で、即ち、上体を起こしたままの状態で撮影を行う場合には、操作部１６に設けられた撮影開始ボタン１７を押して、顔写真を撮影することができる。
【００３４】
他方、背もたれ部１３を後方に倒して撮影することにより、若返った写真が撮れる旨の説明ガイダンス等を行い、これに応じて被撮影者は、座席部１２の背もたれ部１３をノブ１３ｎを操作して後方略水平位置にまで、倒すことが出来る。
背もたれ部は、前方側にバネによって付勢されており、上体の重みで後方に倒せるように構成しており、従来あるリクライニングシートの構成を採用している。
この時に出来るだけ頭部を動かさずに、つまり顔の位置を動かさないようにする。
また、送風機２５を使用するときは、手動でその送風機２５の位置変更を行い、送風機始動スイッチを入れる。
今度は、天井部のミラー部を見て、顔位置等を確認して、右側肘掛部１３ｅの先端部に設けられた撮影開始ボタン１７を押して、撮影を完了する。
【００３５】
撮影が完了すると、撮影された写真がミラーに投影される。
この投影写真を見て、その顔の大きさ等をチェックして、その大きさが不適切な場合には、操作部１６に設けられているズームイン、ズームアウト・ボタンを押して調整する。
その状態で、再度撮影開始ボタンを押せば取り直しができる。
取り直しは、一定時間内であれば、何度でも可能となっている。
撮影開始ボタン１７を押して撮影が完了し、その後一定時間が経過すると、プリントが行われ、プリントアウト部から顔写真が排出される。必要な場合には、同時につり銭がつり銭排出口から排出されるのである。
【００３６】
以上、本考案の一実施形態について説明したが、以下の通り種々設計変更が可能である。
撮影ボックスの大きさ、外形形状等は全く自由である。
出入口の位置も自由であるが、座席部に一番座り易い位置に設けることが最適である。
天井部の高さも全く自由に設計することができる。
ミラー部の構成も全く自由であり、モニタ形式にして、CCDカメラを設置してミラーの代わりに、モニタに顔の映像を表示することもできる。
【００３７】
座席部は、背もたれ部及び肘掛部付きのものを採用したが、肘掛部は、これを設けずに実施することもできるが、腕部を体側に維持するには力が必要なために、肘掛部を設けた方が望ましい。
また、上記実施形態では、右側の肘掛部先端に撮影開始ボタンを設けている関係上、やはり肘掛部を設けることが相応しい。
しかし、この撮影開始ボタンは、座部の右側にも設けることができるので、肘掛部はなくとも問題はない。
【００３８】
或は、背もたれ部を後方に略水平に倒した際に、背もたれ部の両側に腕載せ部が現れるように、撮影ボックスの両側面内側にその腕載せ部を構成する棚部を予め形成しておくことも可能である。
この場合には、腕載せ部に撮影開始ボタンを設けることも可能であり、上体を横たえたままの状態で撮影開始ボタンを押すことが可能となる。
背もたれ部を完全に後方に倒さずに、後方略４５度程度の中間傾斜位置で撮影することも可能である。
【００３９】
この場合には、カメラ部を天井部の前方側にもう一台設置しておけばよい。或は、天井部に備えたカメラ部を前後方向に移動できる構造とすることにより、天井部に１台のカメラ部を設置するのみで対処することができる。
背もたれ部は、上記実施形態ではバネを利用した手動式のものを採用したが、電動式のものを採用して自動的に傾倒するものでもよいことは勿論である。
以上、本考案は、自動顔写真撮影ボックスにおいて、その座席部の構造等を改良することにより、普段よりもより若返った顔写真や、より興趣の優れた顔写真撮影が可能な撮影ボックスを創案し、提供することができたものである。
【図面の簡単な説明】
【００４０】
【図１】本考案に係る自動顔写真撮影ボックスの一実施形態の説明図である。
【図２】本考案に係る上記一実施形態において背もたれ部を後方に倒して略水平にした状態を図示する説明図である。
【図３】本考案に係る上記一実施形態における撮影ボックスに設けられる送風機を説明する説明図である。
【図４】上記図３に示した座席部を示す斜視説明図である。
【符号の説明】
【００４１】
１０  撮影ボックス
１１  ミラー部
１２  座席部
１３  背もたれ部
１３ｅ  肘掛部
１４  座部
１５  カメラ部
１６  操作部
１７  撮影開始ボタン
２０  プリントアウト部
２１  照明
２５  送風機
２８  アーム状ブラケット
３０  頭部支持部
【図１】
0003143402.tif 000003
【図２】
0003143402.tif 000004
【図３】
0003143402.tif 000005
【図４】
0003143402.tif 000006